(57)【要約】【課題】  種々の農業用資材や生活資材であるウェブに、多量の機能材を含有させ、それらを徐々に機能させる機能を有し、さらにこれらの機能ウェブに柔軟性や面積拡大、単位面積当たりの機能材料の充填密度をアップし、ウェブを立体化し、ウェブに通水性や通気性等の特性を有する機能性ウェブを提示する。【解決手段】  第１のウェブと第２のウェブが積層された状態で多条のスリット目が入れられており、このスリット部によって第１のウェブと第２ウェブがヒートシールされることによって、第１のウェブと第２ウェブの層間に形成された多数のチューブ状集合体が形成されており、かつこのチューブ内に機能性材料が含有されている、機能材を含むチューブ状集合体に関する。【選択図】   図１
2009214518.tif 000002
【特許請求の範囲】
【請求項１】
第１のウェブと第２のウェブが積層された状態で多条のスリット目が入れられており、
該スリット部によって該第１のウェブと該第２ウェブがヒートシールされることによって、該第１のウェブと該第２ウェブの層間に形成された多数のチューブ状集合体が形成されており、
かつ該チューブ内に機能性材料が含有されている、機能材を含むチューブ状集合体。
【請求項２】
前記第１のウェブと前記第２のウェブの間に機能性ウェブが積層されており、３層が積層された状態で前記スリットおよび前記ヒートシールが施されている、請求項１の機能材を含むチューブ状集合体。 
【請求項３】
前記機能材を含むチューブ状集合体にシワ加工が施されている、請求項１の機能材を含むチューブ状集合体。  
【請求項４】
前記第１のウェブと前記第２のウェブが不織布であり、前記機能性材料が農薬、肥料、種子の内の少なくとも１種であり、農業用マルチシートとして使用される、請求項１の機能材を含むチューブ状集合体。    
【請求項５】
前記機能性材料が前記機能性ウェブ中に含有されており、前記第１ウェブ、前記第２ウェブ、該機能性ウェブの全てが生分解性ウェブからなる請求項２の機能材を含むチューブ状集合体。 
【請求項６】
前記第１のウェブと前記第２のウェブが不織布であり、前記機能性材料が抗菌剤、防かび剤、消臭剤の内の少なくとも１種を含む、請求項１の機能材を含むチューブ状集合体。 
【請求項７】
前記第１のウェブと前記第２のウェブが不織布であり、前記機能性材料がガス吸着剤であり、この機能材を含むチューブ状集合体が多層積層されてガス吸着シートとして使用される、請求項１の機能材を含むチューブ状集合体。 
【請求項８】
前記第１のウェブと前記第２のウェブが積層された状態で、熱刃と受ロール又は受架台間に挟みこまれ、熱刃によって押し切られることによって、前記スリットおよび前記ヒートシールが施されている、請求項１の機能材を含むチューブ状集合体の製造方法。
【発明の詳細な説明】
【技術分野】
【０００１】
本発明は、２枚のウェブが積層された状態で、その層間に多数のチューブ状集合体を形成させ、このチューブ内に機能性材料が含有されている機能性ウェブスリット積層体に関し、機能材料として肥料や農薬等を含むマルチ資材や、抗菌、防かび、消臭剤等を含む生活用資材などに使用される機能性資材等に関する。
【背景技術】
【０００２】
不織布等の布状物に種々の機能性材料を含有させて、機能性を有する布状物として応用することが試みられてきた（特開２００１−１４６６７３号公報、特開２００１−３１６９６８号公報）。しかし、これらのウェブに多量の機能材を含有させたい場合があり、従来のように、ウェブに単に含浸させる方式では限界があった。また、これらの多量の機能材を、時間をかけて徐々に放散することが求められる場合もある。また、かかる機能性を含む布状物に、大きな伸縮性や伸度が求められる場合がある。また、適宜面積を拡大することが求められる場合があり、また逆に、単位面積当たりの機能材料の存在密度を高めたい場合もある。また、立体的な形状にして厚みを増大することが求められる場合がある。さらに、これらのウェブに通気性、通水性が付与されていることが求められてきた。これらの特性を別々の手段で行っていては、煩雑でコストもかかるので、簡便な手段で、これらの特性の全てを実現できる方策が求められていた。
【０００３】
また農業においても、マルチ資材等に種々の機能剤を含ませて、高度の機能を有する農業資材が求められてきた（特開２００７−２０９２０４）。また家庭内における抗菌、消臭等の用途においても、柔軟性や面積の拡大など、さらに高度の特性を有する資材が求められるようになった。また、かかる場合にも、多量の機能材を含有させたい場合があり、従来のようにウェブに含浸させるだけでは限界があった。さらに、湿度を多量に吸着出来る吸湿ウェブや、酸素を多量に吸着できる脱酸素ウェブも求められていた。
【０００４】
【特許文献１】特開２００１−１４６６７３号公報（第２頁）。
【特許文献２】特開２００１−３１６９６８号公報（第２頁）。
【特許文献３】特開２００７−２０９２０４号公報（第１頁）。
【発明の開示】
【発明が解決しようとする課題】
【０００５】
本発明は、上記問題点を除くためになされたものであって、その目的とするところは、種々の農業用資材や生活資材などのウェブに、多量の機能材を含有させ、それらを徐々に機能させる機能を有し、さらにこれらの機能ウェブに柔軟性や面積拡大、単位面積当たりの機能材料の充填密度をアップし、ウェブを立体化し、ウェブに通水性や通気性等の特性を持たせることなどを、簡便な手段で付与する方式を提示することにある。
【課題を解決するための手段】
【０００６】
本発明は、第１のウェブと第２のウェブが積層された状態で多条のスリット目が入れられており、このスリット部によって第１のウェブと第２ウェブがヒートシールされることによって、第１のウェブと第２ウェブの層間に形成された多数のチューブ状集合体が形成されており、かつこのチューブ内に機能性材料が含有されている、機能材を含むチューブ状集合体に関する。また本発明は、前記第１のウェブと前記第２のウェブの間に機能性ウェブが積層されており、３層が積層された状態で前記スリットおよび前記ヒートシールが施されている、前記機能材を含むチューブ状集合体に関する。また本発明は、前記機能材を含むチューブ状集合体にシワ加工が施されている、前記機能材を含むチューブ状集合体に関する。また本発明は、前記第１のウェブと前記第２のウェブが不織布であり、前記機能性材料が農薬、肥料、種子の内の少なくとも１種であり、農業用マルチシートとして使用される、前記機能材を含むチューブ状集合体に関する。また本発明は、前記機能性材料が前記機能性ウェブ中に含有されており、前記第１ウェブ、前記第２ウェブ、機能性ウェブの全てが生分解性ウェブからなる前記機能材を含むチューブ状集合体に関する。また本発明は、前記第１のウェブと前記第２のウェブが不織布であり、前記機能性材料が抗菌剤、防かび剤、消臭剤の内の少なくとも１種を含む、前記機能材を含むチューブ状集合体に関する。さらに本発明は、前記第１のウェブと前記第２のウェブが不織布であり、前記機能性材料がガス吸着剤であり、この機能材を含むチューブ状集合体が多層積層されてガス吸着シートとして使用される、前記機能材を含むチューブ状集合体に関する。
【０００７】
本発明は、前記第１のウェブと前記第２のウェブが積層された状態で、熱刃と受ロール又は受架台間に挟みこまれ、熱刃によって押し切られることによる、前記機能材を含むチューブ状集合体の製造方法に関する。
【０００８】
本発明は、機能材を含有するウェブに関する。ウェブとは、２次元的に広がりをもつシート状物で、不織布、紙、フィルム、織布、ニット等がある。本発明におけるウェブには、不織布が特に適合し、スパンボンド不織布やメルトブロー不織布、湿式不織布、乾式不織布、トウ開繊不織布、経緯直交不織布などが使用される。本発明のウェブは、上記の同種または異種の複数のウェブが積層接着されたウェブも使用される。また本発明におけるウェブには、構成するポリマーや繊維自身が、抗菌・防臭機能や、オイルキャッチ機能を有する繊維から構成されていてもよい。
【０００９】
本発明においては、第１のウェブと第２のウェブが積層された状態で多条のスリット目が入れられる。第１のウェブと第２のウェブは、同種のウェブであっても、異種のウェブであってもよい。同一のウェブを折り曲げて、上面を第１のウェブ、下面を第２のウェブとしてもよい。これらの第１のウェブ、第２のウェブは、熱可塑性ウェブであって、熱により切断し、また、熱によりヒートシール出来る素材である。
【００１０】
本発明における機能材または機能性材料とは、チューブに内蔵されている新たな薬剤や材料をいう。具体的には、機能材を含むチューブ状集合体が農業用資材である場合は、機能材は、農薬、肥料、種子、防虫剤、除草剤等である。また、他の機能材として、抗菌剤、防かび剤、消臭剤、芳香付与剤等の生活資材として使用される薬剤がある。また乾燥剤やガス吸収剤等の機能材料を使用して、乾燥用ウェブやガス吸収用ウェブとしても使用される。抗菌、防臭剤としては、活性炭や銀などの無機系、アルキルジメチルベンザルコニウム塩などの有機系、テルペンやヒノキチオールなどの天然系など、各種素材が使用できる。また、機能材が油吸収材である場合は、オイルキャッチャーとしても使用される。
【００１１】
本発明の機能材は、チューブ内に含有されている。含有の方法は、溶剤に溶解させた状態や、水などの媒体に分散させた状態でウェブに含ませ、それを両面の第１のウェブと第２のウェブで挟んで、スリットとシールを行う。また、サンドイッチされるウェブとして、抗菌不織布、防臭不織布として市販されている不織布等をそのまま用いてもよい。他の手段として、機能材が固体の場合、サンドイッチさせるウェブの少なくとも片方に接着剤を付与し、接着剤で機能材を接合してもよい。また、機能材に接着剤を付与して、ウェブと接合させる手段も用いられる。また、先にチューブ状集合体を形成させ、そのチューブ内に、溶解や分散させた液体を流し込んでもよい。
【００１２】
本発明における機能性ウェブに多条のスリット目が入れられ、しかもスリット部でヒートシールされていることを特徴とする。多条とは、１平方メータ当たり少なくとも１０以上で、数１００から数１０００、必要に応じて数万の場合もある。スリットとは、線状の切れ目であって、丸穴や四角穴などの面積をもって開けられた穴とは異なる。スリット目は、スリット目の方向に１００ｍｍ当たり１００ｇの荷重をかけられた状態で、スリット幅が２ｍｍ以下である。スリットの長さは、２〜１０００ｍｍであることが好ましく、通常、５〜１００ｍｍの範囲が使用される。そしてそのスリット目のアスペクト比（長さ／巾）は、好ましくは１０以上で１００，０００以下、さらに好ましくは５０以上、１００以上であることが最も好ましい。あまり小さなスリットは、本発明のスリットの効果が少なく、あまり大きなスリットは、ウェブとしての安定性を損ねるからである。
【００１３】
本発明におけるスリットの方向は、ウェブの縦方向、横方向、斜め方向など任意の方向から選ばれる。また、スリット目は、スリット目を目開きさせることで、拡幅させる場合や、立体的にする場合は、千鳥配置のスリット目が好ましい。拡幅されることが好ましくない場合は、一定間隔毎にスリットされていない部分を設け、その間に平行な切れ目が入れられる。
【００１４】
本発明においては、第１のウェブと第２のウェブが積層された状態で多条のスリット目が入れられており、そのスリット部によって第１のウェブと第２ウェブがヒートシールされることによって、第１のウェブと第２ウェブの層間に形成された多数のチューブ状集合体が形成されることを特徴とする。ヒートシールとは、本発明では熱可塑性ウェブが熱により接着・接合されて一体化することをいう。
【００１５】
本発明におけるヒートシールされることによって形成される第１のウェブと第２ウェブの層間に形成された多数のチューブ状集合体が形成される。チューブ状であるので、チューブの中に多量の機能材を含有できることを特徴とする。さらに、この多量の機能材は、表面の第１のウェブと第２のウェブによって、徐々に放散や吸着などの機能を果たすことができる。
【００１６】
本発明におけるスリットは、バッチ的には、多数の刃が埋め込まれている加熱板と、受け板間に第１のウェブと第２のウェブからなる２枚のウェブを挟み込み、積層されたウェブを熱刃で押し切ることによって、上下のウェブに、スリットとヒートシールが達成できる。連続的に行うには、張力下に走行する積層されているウェブが、加熱円筒表面に刃が植えられている回転熱刃と受ロール間に挟み込まれることにより、上下のウェブに、スリットとヒートシールが達成できる。
【００１７】
本発明のウェブに千鳥状のスリットが入れられている場合は、スリット方向と直角方向に張力がかけられることで、スリット目が開き、張力方向に面積が拡がる。目開きされることで、面積が拡大するばかりでなく、通気性、通水性も増す。また、目開きにより、ウェブの厚みが増し、立体化する効果もある。厚みが増すことや立体化が好ましくない場合は、ウェブに平面的な力（プレスやニップロールなど）を作用させて、立体化したウェブが押しつぶされることで、簡単に平面化することもできる。
【００１８】
本発明の機能材を含むチューブ状集合体は、ウェブにシワ加工が施されていることが好ましい。シワ加工により、ウェブに多数のシワ又は溝と畝を形成せせる。また、シワ加工によりウェブが柔軟になり、伸縮性が与えられ、またウェブの厚みが増し（カサ高性）て、立体化する効果がある。また、シワ加工することにより、ウェブの表面積が多くなるので、機能材料を単位面積当たりの密度を高めたウェブとすることもできる。シワ加工の方法として、蒸気等で加熱処理されたウェブを、厚いゴムシートやフェルトの屈曲表面を通過させて、これらの表面でウェブが伸長状態から収縮する際、ウェブをタテ方向に収縮させるサンフォライズ加工を用いることもできる。また、シワ加工の他の方法として、マイクレックス（登録商標）加工やギアクリンプなどを用いることもできる。
【００１９】
機能材が農薬、肥料、種子、防虫剤、除草剤の内の少なくとも１種を含むことにより、本発明の機能材を含むチューブ状集合体は、農業資材、特にマルチシートとして有効である。本発明の機能材を含むチューブ状集合体は、農業資材として使用すると、チューブ内に多量の肥料等を含有することができる。しかも、表面の第１ウェブと第２ウェブを通じて、土の中に徐々に拡散するという特性を有する。さらに、スリット目を有することより、雨水や散水を均一に効率よく土の中へ浸透させることができる。また、スリット部は、育てたい苗の発芽を妨げるウェブ部分を、スリット目を拡大することにより取り除き、ウェブに発芽穴を容易に作ることができる。さらにウェブにスリットやシワ加工が施されていることにより、ウェブ全体が柔軟で、畝や溝等の地形の変化に柔軟に対応できる農業資材となる。
【００２０】
農業用資材として使用されるウェブは、生分解性ウェブからなることが好ましい。生分解性ウェブで、土の中での分解速度をコントロールすることにより、発芽後にウェブを田畑から取り除く手間を省略することができる。生分解性ウェブは、綿やスフなどのセルローズ系などの天然素材も使用される。また、ポリ乳酸やポリグリコール酸、ポリビニルアルコール、トウモロコシを原料とする１、３−プロパンジオ−ルポリエステル等の合成化学によって生成された繊維やフィルムからなるウェブも使用することができる。合成化学系の生分解性ポリマーは、土中の分解速度を種々にコントロールされたものが製造されているので、それらを利用することで、目的に合わせた分解速度を有する機能材を含むチューブ状集合体とすることができる。
【００２１】
本発明の機能材を含むチューブ状集合体は、生活資材の分野でも種々に使用される。例えば、機能材として、乾燥剤や脱酸素剤などとして用いることにより、乾燥剤等を多量に含み、表面のウェブから徐々に水分や酸素等を徐々に吸着させることができ、長持ちのする機能性ウェブとなる。また、セルローズ系不織布や紙素材を第１又は第２シート使用し、チューブ内に抗菌、防臭機能を有する機能材を保有させて、抗菌シート、防臭シート、ワイパー、制汗シート等に使用される。これらはチューブ内に多量の機能材を含めることができる。また、表面のウェブ層により徐々に表面から拡散してくれるので、長期間の使用に適する。また、ウェブにスリットが入っているので、ウェブを通過する気体が乱流になり、単に表面を気体が流れる場合と異なり、気体の放散や吸着効率が良い。
【００２２】
さらに、オイル吸着剤をチューブ内に含むことにより、カサ高でオイル含有量が大きいオイルキャッチャーとなる。またスリットが入っていることにより、流水抵抗が少なく、泡などの油表面の吸着を妨げる成分を、スリットより逃がすことができるので、オイル吸着性能が良い。さらに、ウェブにシワ加工が施されていることにより、ウェブの表面積が増すので、吸着能が増し、シワ加工によりチューブの内容積も増すので、多量のオイルを吸着できる。      
【発明の効果】
【００２３】
本発明は、第１のウェブと第２のウェブとによりサンドイッチ構造になり、そのウェブ間に多数のチューブ状構造体が形成されることを特徴とする。このようなチューブ内に多量の機能材を含有でき、多量の機能材が要求される場合、長期間にわたって使用される場合などに特に適する。また、本発明はサンドイッチ構造体であることより、第１のウェブと第２のウェブの表面から機能性成分を放散させることや、外界の水分、酸素、有毒ガス等を徐々に内部のチューブ内の乾燥剤、脱酸素剤、ガス吸着剤に吸着させることができる。また、スリットの切り口がヒートシールされているので、機能材（抗菌材、防かび材等）が切り口からしみ出すことはない。
【００２４】
本発明は、ウェブにスリットやシワ加工が施されることにより、ウェブが大きな伸縮性や伸度を有し、またスリットを有することにより柔軟性も有する。また、スリットされていることにより、適宜面積を拡大することや立体的な形状にして厚みを増大することや、カサ高性を与えることもできる。また、スリットにより、通気性、通水性を付与でき、さらに拡幅の程度により通気量や通水量をコントロールすることも可能である。
【００２５】
また、本発明の機能材を含むチューブ状集合体は、ウェブにシワ加工が施されていることが好ましい。シワ加工によりウェブが柔軟になり、伸縮性が与えられ、またウェブの厚みが増し、カサ高性も増して、立体化する効果を有する。さらに、シワ加工を施すことで、ウェブの単位面積当たりの表面積が増すので、機能材の放散や吸着をより効果的に行うことができる。これらの特性を、これまでは別々の手段で行っており、煩雑でコストもかかっていたが、本発明では、簡便な手段で、これらの特性の全てを相乗効果として実現できる。
【発明を実施するための最良の形態】
【００２６】
以下本発明における実施の態様の例を図で説明する。図１は、本発明における機能材を含むチューブ状集合体の態様を示す模式図である。第１のウェブ１と第２のウェブ２が積層されて、縦方向（ウェブの長さ方向）に千鳥状に多数のスリット３を入れた図を示す。このスリット３の部分で、第１のウェブ１と第２のウェブ２がヒートシールされていることにより、２枚のウェブの間に中空部分４が形成され、全体としてチューブ状集合体５を形成する。このチューブの中空部分４に多量の機能材を含有することができる。
【００２７】
図２は、第１のウェブ１と第２のウェブ２の間に、さらに第３の機能性ウェブ１１が積層されて、３層が積層された状態で、縦方向に千鳥状に多数のスリット１２を入れた図を示す。このスリット１２の部分では、第１のウェブ１と第２のウェブ２と機能性ウェブ１２の３層がヒートシールされていることにより、３層のウェブにより、全体としてチューブ状集合体１３を形成する。
【００２８】
図３は、本発明における機能材を含むチューブ状集合体の態様を示す模式図である。Ａ図は、２層が積層されているウェブ２１に縦方向に千鳥状にヒートシールされているスリット２２を入れた図を示す。このウェブ２１を、横方向（矢印方向）に力を加えると拡幅され、立体化された態様をＢ図で示す。ウェブ２１のスリット２２間に形成される幹部２３と枝部２４からなり、幹部２３は、左側を上にして、右側に約４５度方向下側に傾斜して、厚みをもった立体化された態様となる。それに平面的な圧力を加えると、平面化されて、Ｃ図の態様となる。
【００２９】
図４は、本発明の機能材を含むチューブ状集合体における他のスリットの態様を示す模式図である。Ｄ図は、２層のウェブが積層されているウェブ３１に一定間隔毎にスリット３２が入れられないゾーン３３を設けた場合である。このようにスリットされていないゾーン３３があると、拡幅を殆どせず、一定の通気量や通水量を保ちたい場合に有効である。Ｅ図は、Ａ図とＤ図の中間の場合で、ウェブ３５にスリット３６が入れられていないゾーン３７を狭くし、スリット３６が若干量だけ相互に入り組んでいる場合を示す。農業用途やフィルター用途などのように、あまり大きな拡幅を求めないが、若干量の通気量や通水量をコントロールしたい場合に有効である。
【００３０】
図５は、本発明における機能材を含むチューブ状集合体のさらに他の態様を示す模式図である。Ｆ図は、２層が積層されているウェブ４１にスリット４４が横方向に入っている場合の例を示す。Ｇ図では、ウェブ４５に、タテ方向のスリット４６と横方向のスリット４７が入っている例を示す。また、図示していないが、スリット目は斜め方向でもよい。
【００３１】
図６は、本発明におけるシワ加工が施された２枚が積層されているウェブの態様を示す模式図である。Ｈ図は、ギアクリンプ方式などによりシワないし折り目が入っている態様を示す。Ｈａ図は平面図で、ウェブ５１にヨコ方向に、直線的にシワないし折り目５２が入っている。Ｈｂ図は、Ｈａ図のＡ−Ａにおける点線部の厚み方向における断面を拡大して示してある。
【００３２】
図７は、サンフォライズ加工やマイクレックス（登録商標）加工のような、圧縮収縮加工によるシワ加工が施されている例を示す。Ｉａ図は、ウェブ５５に横方向にランダムな多数のシワ５６が入っている。Ｉｂ図は、Ｉａ図のＢ−Ｂにおける点線部の厚み方向における断面で、拡大して示している。
【００３３】
図８は、２層のウェブにタテ方向（ウェブの流れ方向）に連続的にスリットやヒートシールを施す方法の例を示す。Ａ図は、工程の概略で、装置の断面図で示す。第１のウェブ６１と第２のウェブ６２は、ニップロール６３ａ、６３ｂによってニップされることにより積層されて、積層ウェブ６４となる。積層ウェブ６４は、熱刃ロール６５と受ロール６６間にニップされて、熱刃６７と受ロール６６で挟まれた部分だけが、タテ方向にスリットとヒートシールが施されたチューブ状集合体からなるウェブ６８となり、ニップロール６９ａ、６９ｂにより引き取られていく。熱刃ロール６５は、中心にカートリッジヒータ等からなる熱源７０を有し、熱刃ロール６５全体が加熱されている。受ロール６６は、バス７１中にあり、水７２により冷却されている。Ｂ図は、熱刃ロール６５を形成する熱刃６７の一枚を示し、円周には、一定間隔で切り欠き部７３を有している。熱刃ロール６５は、Ｂ図で示す熱刃６７の切り欠き部７３の位置を半ピッチずつずらして、スペーサ円盤と交互に重ねながら円筒状に並べていく。Ｂ図における熱刃６７の斜線部７４は、スペーサ円筒と重なる部分を示す。
【００３４】
図９は、２層のウェブにヨコ方向（ウェブの幅方向）に連続的にスリットやヒートシールを施す方法の例を示す。Ａ図は、工程の概略で、装置の断面図で示す。第１のウェブ６１と第２のウェブ６２は、ニップロール６３ａ、６３ｂによってニップされることにより積層されて、積層ウェブ６４となる。積層ウェブ６４は、熱刃ロール８１と受ロール６６間にニップされて、熱刃８２と受ロール６６で挟まれた部分だけが、ヨコ方向にスリットとヒートシールされたチューブ状集合体からなるウェブ８４となり、ニップロール６９ａ、６９ｂにより引き取られていく。熱刃ロール８１は、中心にカートリッジヒータ等からなる熱源８３を有し、熱刃ロール８１全体が加熱されている。受ロール６６は、バス７１中にあり、水７２により冷却されている。Ｂ図は、熱刃ロール８１を形成する熱刃８２の一枚を示し、一枚の平たい刃には、一定間隔で切り欠き部８５を有している。熱刃ロール８１は、Ｂ図で示す熱刃８２の切り欠き部８５の位置を半ピッチずつずらして、熱刃ロール８１の円筒に一定間隔で設けられている溝に植えられている。Ｂ図における熱刃８２の斜線部８６は、熱刃ロール８１の溝の中に埋まっている部分である。
【００３５】
なお、図３から図９までは、２層のウェブが積層されている例について説明したが、機能性ウェブとの３層の場合も同様である。
【産業上の利用可能性】
【００３６】
本発明は、機能材料として肥料や農薬等を含むマルチ資材や、抗菌、防かび、消臭剤等を含む生活用資材などに使用される機能性資材として利用される。
【図面の簡単な説明】
【００３７】
【図１】本発明における機能材を含むチューブ状集合体の態様を示す模式図。
【図２】本発明における機能材を含むチューブ状集合体の他の態様を示す模式図。
【図３】本発明における機能材を含むチューブ状集合体におけるスリットの態様を示す模式図。
【図４】本発明における機能材を含むチューブ状集合体におけるスリットの他の態様を示す模式図。
【図５】本発明における機能材を含むチューブ状集合体におけるスリットのさらに他の態様を示す模式図。
【図６】本発明におけるシワ加工が施された機能性ウェブの態様を示す模式図。
【図７】本発明におけるシワ加工が施された機能性ウェブの他の態様を示す模式図。
【図８】本発明における機能材を含むチューブ状集合体を製造する方法を示す工程図。
【図９】本発明における機能材を含むチューブ状集合体を製造する方法を示す他の工程図。
【符号の説明】
【００３８】
１：第１のウェブ、  ２：第２のウェブ、  ３：スリット、  ４：中空部分、
５：チューブ状集合体。
１１：機能性ウェブ、  １２：スリット、  １３：チューブ状集合体。
２１：ウェブ、  ２２：スリット、  ２３：幹部、  ２４：枝部。
３１：ウェブ、  ３２：スリット、  ３３：スリットされていないゾーン。
３５：ウェブ、  ３６：スリット、  ３７：スリットされていないゾーン。
４１：ウェブ、  ４２：スリット、  ４５：ウェブ、
４６：タテ方向のスリット、  ４７：ヨコ方向のスリット。
５１：ウェブ、  ５２：シワないし折り目。
５５：ウェブ、  ５６：シワ。
６１：第１のウェブ、  ６２：第２のウェブ、  ６３ａ、６３ｂ：ニップロール、
６４：積層ウェブ、  ６５：熱刃ロール、  ６６：受ロール、  ６７：熱刃、
６８：チューブ状集合体からなるウェブ、  ６９ａ、６９ｂ：ニップロール、
７０：熱源、  ７１：バス、  ７２：水、  ７３：切り欠き部、  ７４：斜線部。
８１：熱刃ロール、  ８２：熱刃、  ８３：熱源、 
８４：チューブ状集合体からなるウェブ、  ８５：切り欠き部、  ８６：斜線部。
【図１】
2009214518.tif 000003
【図２】
2009214518.tif 000004
【図３】
2009214518.tif 000005
【図４】
2009214518.tif 000006
【図５】
2009214518.tif 000007
【図６】
2009214518.tif 000008
【図７】
2009214518.tif 000009
【図８】
2009214518.tif 000010
【図９】
2009214518.tif 000011